(57)【要約】【課題】早送り再生及び早戻し再生の少なくとも一つにおいて、目的のデータ位置を容易に探し出すことである。【解決手段】記録媒体としての光ディスク１に記録されたデータを再生する光ピックアップ３等の再生手段と、早送り再生及び早戻し再生の少なくとも一つの分解能を切り替えて設定し、設定した分解能に基づいて、前記再生手段に光ディスク１の早送り再生及び早戻し再生の少なくとも一つを行わせる制御手段としてのシステムコントローラ１４を備える。【選択図】図１
2006331473.tif 000002
【特許請求の範囲】
【請求項１】
記録媒体に記録されたデータを再生する再生手段と、
早送り再生及び早戻し再生の少なくとも一つの分解能を切り替えて設定する設定手段と、
前記設定手段により設定された分解能に基づいて、前記再生手段に前記記録媒体の早送り再生及び早戻し再生の少なくとも一つを行わせる制御手段と、を備えることを特徴とする再生装置。
【請求項２】
前記設定手段は、倍速が同一又は近い複数の分解能から、分解能を切り替えて設定することを特徴とする請求項１に記載の再生装置。
【請求項３】
前記設定手段は、高い分解能から低い分解能へ切り替えて設定することを特徴とする請求項１又は２に記載の再生装置。
【請求項４】
早送り再生及び早戻し再生の少なくとも一つの継続時間を計測する計時手段を備え、
前記設定手段は、前記計時手段により計測された継続時間に応じて、分解能を切り替えて設定することを特徴とする請求項１から３のいずれか一項に記載の再生装置。
【請求項５】
操作入力を受け付ける操作手段を備え、
前記設定手段は、前記操作手段を介して入力された分解能に設定することを特徴とする請求項１から４のいずれか一項に記載の再生装置。
【請求項６】
コンピュータに、
早送り再生及び早戻し再生の少なくとも一つの分解能を切り替えて設定する機能と、
前記設定された分解能に基づいて、記録媒体に記録されたデータの早送り再生及び早戻し再生の少なくとも一つを行わせる機能と、
を実現させるための再生プログラム。
【発明の詳細な説明】
【技術分野】
【０００１】
本発明は、再生装置及び再生プログラムに関する。
【背景技術】
【０００２】
従来、ＣＤ（Compact Disc）等の光ディスク、ＨＤＤ（Hard Disk Drive）等の磁気ディスク、フラッシュメモリ等の半導体メモリ等、様々な記録媒体に記録したデジタルの音声データを再生する再生装置が実施されている。また、再生対象を音声データのみとするものの他、動画、静止画等の画像データを再生する再生装置も実施されている。
【０００３】
再生装置の多くは、早送り再生（ＦＦ：Fast Forward）、早戻し再生（ＲＥＷ：REWind）の機能を有し、音声や画像を通常の再生速度よりも速い速度での再生、逆方向再生ができる。これは、ユーザが再生したいと思う目的のデータが、記録媒体のどの位置に記録されているかを探し出すために用いられる。
【０００４】
カセットテープや、アナログレコードのように、アナログ記録されているものは、単に回転数やテープ速度を上げることで早送り再生機能及び早戻し再生機能を実現できたが、デジタル記録されているものの多くは、連続した早送りではなく、間欠的な再生を繰り返すことで早送りするものがほとんどである。
【０００５】
ここで、図５を参照して、従来の早送り再生の動作を説明する。図５（ａ）に、従来の早送り再生における記録媒体に記録されたデータブロックの配列を示す。図５（ｂ）に、従来の早送り再生における通常再生するデータブロックの配列を示す。
【０００６】
図５（ａ）に示すように、記録媒体に、音声データが連続して記録されているものとする。図５（ａ）では、簡単のため、連続したデータを通常再生において１００［ｍｓ］のデータブロックに分割して考え、データブロックＣ１〜Ｃ１５が順に記録されているものとする。５倍速の早送り再生をする場合には、１つのデータブロックを通常再生し、再生位置を４データブロック進めて、再び１つのデータブロックを通常再生することを繰り返す。図５（ｂ）に示すように、データブロックＣ１〜Ｃ１５のうち、データブロックＣ１，Ｃ６，Ｃ１１が順に再生装置で再生される。
【０００７】
このように、早送り再生又は早戻し再生においては、一定時間のデータを通常再生し、再生位置を一定時間進め又は戻して、再び一定時間のデータを通常再生することを繰り返していた。また、再生装置での早送り再生、早戻し再生において、その再生速度（倍速）を変更可能な構成が考えられている（例えば、特許文献１及び２参照）。また、早送り再生又は早戻し再生の操作が一定時間継続された場合に、その再生速度が早い速度に変更される構成が実施されている。
【特許文献１】特開平７−８５５６９号公報
【特許文献２】特開平９−２６１５７６号公報
【発明の開示】
【発明が解決しようとする課題】
【０００８】
早送り再生及び早戻し再生では、早送り再生又は早戻し再生で再生する部分の時間が短いと、音声データの場合、その内容が聞き取りにくくなる。
【０００９】
また、従来の早送り再生又は早戻し再生で再生する部分の時間を長くすると、音声データの場合、その内容は聞き取り易いが、再生せずに進める又は戻る部分も大きくなり、トータルとしての倍速が遅くなる。例えば、早送り再生において、４００［ｍｓ］ずつ通常再生し、４００［ｍｓ］ずつ進めることを繰り返すと２倍速になってしまう。
【００１０】
また、現在再生している位置の前後近くに目的のデータ位置がある場合には、微妙な頭出しを要求されることが多く、これとは逆に、広い範囲で目的のデータ位置をサーチする場合には、大まかな位置の把握が要求される。しかし、従来の構成では、広い範囲での目的のデータ位置サーチにおいて、早送り再生又は早戻し再生の速度を早めるため、再生する部分も短くなり、内容の認識がしにくく、逆に目的のデータ位置を探しずらくなってしまうおそれがあった。
【００１１】
加えて、従来の一定時間の早送り再生又は早戻し再生の操作入力継続では、ユーザの意図しないポイントで突然速度が早くなり、さらに目的のデータ位置を探しずらくなってしまうおそれがあった。
【００１２】
本発明の課題は、早送り再生及び早戻し再生の少なくとも一つにおいて、目的のデータ位置を容易に探し出すことである。
【課題を解決するための手段】
【００１３】
上記課題を解決するため、請求項１に記載の発明は、
記録媒体に記録されたデータを再生する再生手段と、
早送り再生及び早戻し再生の少なくとも一つの分解能を切り替えて設定する設定手段と、
前記設定手段により設定された分解能に基づいて、前記再生手段に前記記録媒体の早送り再生及び早戻し再生の少なくとも一つを行わせる制御手段と、を備えることを特徴とする再生装置である。
【００１４】
請求項２に記載の発明は、請求項１に記載の再生装置において、
前記設定手段は、倍速が同一又は近い複数の分解能から、分解能を切り替えて設定することを特徴とする。
【００１５】
請求項３に記載の発明は、請求項１又は２に記載の再生装置において、
前記設定手段は、高い分解能から低い分解能へ切り替えて設定することを特徴とする。
【００１６】
請求項４に記載の発明は、請求項１から３のいずれか一項に記載の再生装置において、
早送り再生及び早戻し再生の少なくとも一つの継続時間を計測する計時手段を備え、
前記設定手段は、前記計時手段により計測された継続時間に応じて、分解能を切り替えて設定することを特徴とする。
【００１７】
請求項５に記載の発明は、請求項１から４のいずれか一項に記載の再生装置において、
操作入力を受け付ける操作手段を備え、
前記設定手段は、前記操作手段を介して入力された分解能に設定することを特徴とする。
【００１８】
請求項６に記載の発明は、
コンピュータに、
早送り再生及び早戻し再生の少なくとも一つの分解能を切り替えて設定する機能と、
前記設定された分解能に基づいて、記録媒体に記録されたデータの早送り再生及び早戻し再生の少なくとも一つを行わせる機能と、
を実現させるための早送り再生及び早戻し再生プログラムである。
【発明の効果】
【００１９】
本発明によれば、早送り再生及び早戻し再生の少なくとも一つにおいて、目的のデータ位置を容易に探し出すことができる。
【発明を実施するための最良の形態】
【００２０】
以下、添付図面を参照して本発明に係る実施の形態を詳細に説明する。ただし、発明の範囲は、図示例に限定されない。
【００２１】
先ず、図１を参照して、本実施の形態の再生装置１００の装置構成を説明する。図１に、再生装置１００の構成を示す。
【００２２】
図１に示すように、本実施の形態の再生装置１００は、記録媒体としての光ディスク１に記録された音声データを再生するものである。再生装置１００は、スピンドルモータ２と、光ピックアップ３と、送りモータ４と、記録ヘッド５と、ヘッドドライバ６と、ＲＦ（Radio Frequency）アンプ７と、デジタル信号処理回路８と、ＤＡＣ（Digital-to-Analog Converter）９と、アンプ１０と、スピーカ１１と、マイク１２と、ＡＤＣ（Analog-to-Digital Converter）１３と、設定手段及び制御手段としてのシステムコントローラ１４と、操作手段としての操作部１５と、表示部１６と、計時手段としての計時部１７と、メモリ１８と、を備えて構成される。
【００２３】
また、スピンドルモータ２、光ピックアップ３、送りモータ４、ＲＦアンプ７、デジタル信号処理回路８、ＤＡＣ９、アンプ１０及びスピーカ１１により、再生手段が構成される。
【００２４】
光ディスク１は、楽曲データ等のデジタルの音声データ等のデータが記録される記録媒体としてＭＤ（Mini Disc）とする。
【００２５】
スピンドルモータ２は、デジタル信号処理回路８に制御されて、ターンテーブルやクランプ機構にて保持する光ディスク１を、所定の回転速度で回転駆動する。
【００２６】
光ピックアップ３は、デジタル信号処理回路８の制御により、光ディスク１にレーザ光を照射して音声データ等の記録データの記録及び再生を可能とするためのものである。より詳細には、光ピックアップ３は、データを光ディスク１に記録する場合に、光ディスク１の記録トラックをキュリー温度まで加熱する高レベルのレーザ光を出力する。また、光ピックアップ３は、記録データを光ディスク１から再生する際、磁気カー効果を利用して受けた反射光によりデータ信号を検出可能とする低レベルのレーザ光を出力する。光ピックアップ３は、検出したデータ信号をＲＦアンプ７に出力する。
【００２７】
送りモータ４は、デジタル信号処理回路８の制御により、光ディスク１の半径方向に、光ピックアップ３を移動させる。
【００２８】
記録ヘッド５は、データを光ディスク１に書き込む場合に、光ディスク１を挟んで光ピックアップ３と対向する位置に配置され、ヘッドドライバ６から受けた駆動信号に応じた磁界を生成し、光ディスク１に印加する。
【００２９】
ヘッドドライバ６は、デジタル信号処理回路８によりエンコード処理が施されたデータに基づいて、記録ヘッド５を駆動するための駆動信号を生成するためのものであり、生成した駆動信号を記録ヘッド５に供給する。
【００３０】
ＲＦアンプ７は、光ピックアップ３が検出した信号を増幅するとともに演算処理等を実行することにより、データ信号である再生ＲＦ信号、トラッキングエラー（ＴＥ）信号、フォーカスエラー（ＦＥ）信号及び光ディスク１に記録されている絶対位置（ＡＤＩＰ；ADdress In Pregroove）情報の信号等を抽出するものである。ＲＦアンプ７は、抽出した各種信号をデジタル信号処理回路８に出力する。
【００３１】
デジタル信号処理回路８は、システムコントローラ１４により制御される。デジタル信号処理回路８は、音声データを光ディスク１より再生する場合に、ＲＦアンプ７が抽出した再生信号にデコード処理を施してデジタルの音声データを生成する。デジタル信号処理回路８は、デコード処理により生成したデジタルの音声データをＤＡＣ９に出力し、ＲＦアンプ７が抽出した信号等に基づいて、スピンドルモータ２、光ピックアップ３及び送りモータ４に駆動用の制御信号を出力する。
【００３２】
また、デジタル信号処理回路８は、音声データを光ディスク１に記録する場合に、ＡＤＣ１３から入力されたデジタルの音声データにエンコード処理を施して記録信号を生成し、その記録信号等に基づいて、スピンドルモータ２、光ピックアップ３、送りモータ４及びヘッドドライバ６に駆動用の制御信号を出力する。
【００３３】
ＤＡＣ９は、デジタル信号処理回路８から入力されたデジタルの音声データをアナログの音声信号に変換してアンプ１０に出力する。アンプ１０は、ＤＡＣ９から入力された音声信号を増幅してスピーカ１１に出力する。スピーカ１１は、アンプ１０から入力された音声信号に基づいて音声出力する。
【００３４】
マイク１２は、入力される音声をアナログの音声信号に変換してＡＤＣ１３に出力する。ＡＤＣ１３は、マイク１２から入力された音声信号をデジタルの音声データに変換してデジタル信号処理回路８に出力する。
【００３５】
システムコントローラ１４は、マイクロプロセッサ等から構成され、デジタル信号処理回路８、操作部１５、表示部１６、計時部１７、メモリ１８を制御する。システムコントローラ９は、ＣＰＵ（Central Processing Unit）、ＲＡＭ（Random Access Memory）、ＲＯＭ（Read Only Memory）等を備える。ＣＰＵは、ＲＯＭに格納されているシステムプログラム及び各種アプリケーションプログラムの中から指定されたプログラムを読み出してＲＡＭに展開し、ＲＡＭに展開されたプログラムとの協働で、各種処理を実行する。
【００３６】
操作部１５は、停止キー、再生キー、早戻しキー、早送りキー等の各種キーを有する操作パネル等から構成され、ユーザの操作入力によって指示された音声データの再生／記録の開始、停止、早送り再生、早戻し再生等の指示情報をシステムコントローラ１４に出力する。
【００３７】
表示部１６は、ＬＣＤ（Liquid Crystal Display）パネル等から構成され、システムコントローラ１４の制御により、再生時間、トラック番号、早送り再生及び早戻し再生の速度、ボリューム等の情報を表示する。
【００３８】
計時部１７は、システムコントローラ１４の制御により、実際の時間を計測し、その計測した時間情報をシステムコントローラ１４に出力する。メモリ１８は、各種情報を記憶する揮発性のＲＡＭ等により構成されるものとする。
【００３９】
次に、図２及び図３を参照して、再生装置１００の動作を説明する。図２（ａ）に、第１の早送り再生における光ディスク１に記録されたデータブロックの配列を示す。図２（ｂ）に、第１の早送り再生における通常再生するデータブロックの配列を示す。図２（ｃ）に、第２の早送り再生における光ディスク１に記録されたデータブロックの配列を示す。図２（ｄ）に、第２の早送り再生における通常再生するデータブロックの配列を示す。図３に、早送り再生処理の流れを示す。
【００４０】
以下、再生装置１００の早送り再生処理について説明する。本実施の形態の早送り再生処理は、第１の早送り再生及び第２の早送り再生との２段階で行うものとする。予め、再生する光ディスク１には、トラックごとに又はトラックを跨いで音声データが連続して記録されている。早送り再生では、間欠的に音声データが再生されるが、通常再生するデータ部分の時間を通常再生時間ＴＮとし、再生せずに位置を進めるデータ部分の時間を読み飛ばし時間ＴＪとする。通常再生時間ＴＮ及び読み飛ばし時間ＴＪは、そのデータ部分を通常再生した場合の時間であり、早送りに要する実際の時間ではない。
【００４１】
早送り再生の倍速は、（ＴＮ＋ＴＪ）／ＴＮ［倍速］で表される。また、早送り再生中に、記録データ上の位置について、（ＴＮ＋ＴＪ）を単位として停止できる。この単位を、目的の位置のサーチにおける分解能とする。
【００４２】
第１の早送り再生は、比較的分解能の高い早送り再生である。例えば、図２（ａ）に示すように、光ディスク１に記録された音声データの所定部分を、データブロックＡ１〜Ａ１５に分割して考える。各データブロックの時間を、通常再生時間ＴＮ１とする。また、読み飛ばし時間ＴＪ１は、４×ＴＮ１とする。第１の早送り再生の倍速は５倍速である。第１の早送り再生においては、図２（ｂ）に示すように、データブロックＡ１〜Ａ１５のうち、データブロックＡ１，Ａ６，Ａ１１が順に再生される。
【００４３】
第１の早送り再生は、現在再生しているデータ位置の近くに目的のデータ位置があり、精度の高い位置サーチが要求される場合等に適する。このため、本実施の形態では、早送り再生指示開始後に第１の早送り再生を行うものとする。
【００４４】
第２の早送り再生は、第１の早送り再生よりも分解能の低い早送り再生である。例えば、図２（ｃ）に示すように、光ディスク１に記録された音声データの所定部分を、データブロックＢ１〜Ｂ１０に分割して考える。各データブロックの時間を、通常再生時間ＴＮ２とする。但し、ＴＮ２＞ＴＮ１とする。また、読み飛ばし時間ＴＪ２は、４×ＴＮ２とする。つまり、第２の早送り再生の倍速も、第１の早送り再生の倍速と同様に５倍速である。第２の早送り再生においては、図２（ｄ）に示すように、データブロックＢ１〜Ｂ１０のうち、データブロックＢ１，Ｂ６が順に再生される。
【００４５】
第２の早送り再生は、広い範囲で大雑把に目的のデータ位置をサーチし、その再生内容の把握が重視される場合等に適する。例えば、ラジオ番組を録音した光ディスク１を早送り再生し、番組本編中のある部分をサーチする場合に、ＣＭ中か、番組本編中か等を聞き取る場合である。このため、本実施の形態では、一定の早送り再生指示継続時間経過後に第２の早送り再生を行うものとする。
【００４６】
通常再生時間ＴＮ１、読み飛ばし時間ＴＪ１、通常再生時間ＴＮ２、読み飛ばし時間ＴＪ２は、それぞれ順に、例えば、１００［ｍｓ］，４００［ｍｓ］，５００［ｍｓ］，２０００［ｍｓ］とする。
【００４７】
次いで、図３を参照して、再生装置１００で実行される早送り再生処理の流れを説明する。予め、再生対象の光ディスク１が再生装置１００にセットされているものとする。再生装置１００において、例えば、音声データ再生中等に、ユーザにより操作部１５を介して早送り再生の指示が入力開始されたこと（例えば、操作部１５の早送りキーの押下開始）をトリガとして、システムコントローラ１４において、ＲＯＭから読み出されて適宜ＲＡＭ上に展開された早送り再生プログラムと、ＣＰＵとの協働により、早送り再生処理が実行される。
【００４８】
先ず、計時部１７により、早送り継続時間ＴＭのタイマが起動され、早送り継続時間ＴＭが計測開始される（ステップＳ１）。そして、通常再生時間ＴＮ、読み飛ばし時間ＴＪが、それぞれ、第１の早送り再生に対応する通常再生時間ＴＮ１、読み飛ばし時間ＴＪ１に設定される（ステップＳ２）。
【００４９】
そして、光ディスク１上の早送り再生開始位置ＳＰがサーチされる（ステップＳ３）。早送り再生開始位置ＳＰは、例えば、ユーザにより操作部１５を介して早送り再生の指示が入力開始される直前に音声出力されていた位置とする。そして、ステップＳ３における早送り再生開始位置ＳＰ又は後述するステップＳ９における進めたデータ位置のサーチが完了したか否かが判別される（ステップＳ４）。データ位置のサーチが完了していない場合（ステップＳ４；ＮＯ）、ステップＳ４に移行される。
【００５０】
データ位置のサーチが完了した場合（ステップＳ４；ＹＥＳ）、サーチしたデータ位置の次に位置する、通常再生時間ＴＮの期間分の音声データ（例えば、図２でのデータブロック）が再生される（ステップＳ５）。ステップＳ５の再生によりスピーカ１１から出力される音声を、ユーザが聞き取ることができる。そして、カウント中の早送り継続時間ＴＭが、予め設定された分解能切り替え時間ＴＳよりも大きいか否かが判別される（ステップＳ６）。分解能切り替え時間ＴＳは、第１の早送り再生から第２の早送り再生に切り替える早送り継続時間ＴＭの閾値である。例えば、分解能切り替え時間ＴＳは、５［ｓ］に設定される。
【００５１】
早送り継続時間ＴＭ＞分解能切り替え時間ＴＳである場合（ステップＳ６；ＹＥＳ）、通常再生時間ＴＮ、読み飛ばし時間ＴＪが、それぞれ、第２の早送り再生に対応する通常再生時間ＴＮ２、読み飛ばし時間ＴＪ２に設定される（ステップＳ７）。そして、ユーザからの操作部１５を介する早送り再生の指示入力が中断されて（例えば、操作部１５の押下中の早送りボタンが開放されて）、早送り再生が解除されたか否かが判別される（ステップＳ８）。早送り継続時間ＴＭ＞分解能切り替え時間ＴＳでない場合（ステップＳ６；ＮＯ）、ステップＳ８に移行される。
【００５２】
早送り再生が継続されている場合（ステップＳ８；ＮＯ）、現在サーチ済の光ディスク１のデータ位置を、時間（ＴＮ＋ＴＪ）に対応する分だけ進めたデータ位置（ステップＳ５における通常再生時間ＴＮのデータ再生終了後のデータ位置から、読み飛ばし時間ＴＪに対応して進めたデータ位置）がサーチされ（ステップＳ９）、ステップＳ４に移行される。早送り再生が解除された場合（ステップＳ８；ＹＥＳ）、早送り再生処理が終了する。
【００５３】
ここでは、早送り再生処理を説明したが、早戻し再生処理においても同様に、早戻し再生開始後に、分解能の高い第１の早戻し再生を行い、早戻し再生の操作入力一定時間継続後に、分解能の低い第２の早戻し再生を行う。
【００５４】
以上、本実施の形態によれば、早送り再生／早戻し再生において、分解能が高い第１の早送り再生／早戻し再生と、分解能が低い第２の早送り再生／早戻し再生処理とを切り替えるので、第１の早送り再生／早戻し再生による精度の高いサーチと、第２の早送り再生／早戻し再生による内容を聞き取りやすいサーチとを切り替えて、目的のデータ位置を容易に探し出すことができる。
【００５５】
また、早送り再生／早戻し再生開始後に、第１の早送り再生／早戻し再生を行い、早送り再生／早戻し再生の一定時間継続後に、第２の早送り再生／早戻し再生を行うので、適切なタイミングで第１の早送り再生／早戻し再生及び第２の早送り再生／早戻し再生の切り替えを行うことができる。また、再生中の音声データの途中で新たに録音を行う場合にも、早送り再生／早戻し再生により、録音開始するデータ位置を容易に探し出すことができる。
【００５６】
また、第１の早送り再生／早戻し再生と、第２の早送り再生／早戻し再生とを自動で切り替えるので、操作負担を軽減することができる。また、第１の早送り再生／早戻し再生の倍率と、第２の早送り再生／早戻し再生の倍率とが同一であるので、第１の早送り再生／早戻し再生から第２の早送り再生／早戻し再生に切り替えても、倍率が急激に上昇して目的の位置を大幅に通り過ぎることを低減でき、目的のデータ位置で早送り／早戻し解除操作を容易に行うことができる。
【００５７】
また、第２の早送り再生／早戻し再生終了後に、再び早送り早送り再生／早戻し再生を行う場合には、第１の早送り再生／早戻し再生に切り替えるので、第２の早送り再生／早戻し再生により目的のデータ位置を通り過ぎたとしても、分解能の高い第１の早戻し再生／早送り再生により、精度よく目的のデータ位置を探し直すことができる。
【００５８】
なお、上記実施の形態における記述は、本発明に係る再生装置及び再生プログラムの一例であり、これに限定されるものではない。
【００５９】
例えば、光ディスク１としてＭＤを用いる構成であったが、これに限定されるものではない。例えば、ＣＤ、ＣＤ−Ｒ／ＲＷ（Recordable／ReWriteable）、ＤＶＤ（Digital Versatile Disc）、ＤＶＤ−Ｒ／ＲＷ、青色レーザを用いる次世代高密度情報記録媒体等の光情報記録媒体や、フラッシュメモリを利用したメモリキー、メモリカード等の半導体メモリや、ＨＤＤ（Hard Disk Drive）等の磁気記録媒体、等の記録媒体としてもよい。
【００６０】
また、再生対象のデータは、音声データに限定されるものではなく、動画や、複数の静止画（例えば、スライドショー）の画像データとしてもよい。この場合には、表示手段により複数の画像データを順に表示していくことにより再生する。また、通常再生する最小の単位は、１枚の画像データとなる。さらに、再生対象のデータは、音声付の動画の画像データの再生とする構成としてもよい。
【００６１】
また、上記実施の形態では、分解能（通常再生時間ＴＮ、読み飛ばし時間ＴＪの組合せ）が２段階に切り替えられる構成としたが、これに限定されるものではなく、３段階以上に切り替え可能な構成としてもよい。
【００６２】
また、上記実施の形態では、通常再生時間ＴＮ、読み飛ばし時間ＴＪ、分解能切り替え時間ＴＳが、予め設定されるものとしたが、これに限定されるものではない。ユーザの操作部１５を介する設定入力により、通常再生時間ＴＮ、読み飛ばし時間ＴＪ、分解能切り替え時間ＴＳが変更設定可能な構成としてもよい。
【００６３】
これに関して、通常再生時間ＴＮ、読み飛ばし時間ＴＪの組合せを複数用意しておき、ユーザの操作部１５を介する選択入力により、設定する構成としてもよい。例えば、図４（ａ）に示すように、操作部１５の操作パネル１５Ａが、停止キー１５１、再生キー１５２、早戻しキー１５３及び早送りキー１５４に加えて、分解能を切り替える分解能切替キー１５５を備える構成としてもよい。分解能切替キー１５５の押下ごとに、「通常再生時間ＴＮ＋読み飛ばし時間ＴＪ」が、それぞれ、「１００［ｍｓ］＋４００［ｍｓ］」，「５００［ｍｓ］＋２０００［ｍｓ］」，「１［ｓ］＋４［ｓ］」，「５［ｓ］＋２０［ｓ］」の分解能が循環して切り替えられる。
【００６４】
また、図４（ａ）の変形例として、図４（ｂ）に示すように、操作部１５の操作パネル１５Ｂが、停止キー１５１及び再生キー１５２に加えて、「通常再生時間ＴＮ＋読み飛ばし時間ＴＪ」が「１００［ｍｓ］＋４００［ｍｓ］」に対応する早戻しキー１５３１及び早送りキー１５４１と、「５００［ｍｓ］＋２０００［ｍｓ］」に対応する早戻しキー１５３２及び早送りキー１５４２と、「１［ｓ］＋４［ｓ］」に対応する早戻しキー１５３３及び早送りキー１５４３と、「５［ｓ］＋２０［ｓ］」に対応する早戻しキー１５３４及び早送りキー１５４４と、を有する構成としてもよい。
【００６５】
また、分解能を操作入力により切り替える構成において、早送り再生／早戻し再生の継続時間に応じて、自動的に分解能が切り替わらず、分解能を固定する構成としてもよい。
【００６６】
また、上記実施の形態において、互いに異なる分解能の倍率が同一である構成を説明したが、これに限定されるものではない。互いに異なる分解能の倍率が近い（互いに大きく変わらない）構成としてもよい。また、上記実施の形態において、早戻し再生及び早戻し再生の分解能を切り替えて早送り再生及び早戻し再生を行う構成であったが、これに限定されるものではなく、早戻し再生又は早戻し再生の分解能を切り替えて、その早送り再生又は早戻し再生を行う構成としてもよい。
【００６７】
その他、上記実施の形態における再生装置１００の細部構成、および詳細動作に関しても、本発明の趣旨を逸脱しない範囲で適宜変更可能である。
【図面の簡単な説明】
【００６８】
【図１】本発明に係る実施の形態の再生装置１００の構成を示すブロック図である。
【図２】（ａ）は、第１の早送り再生における光ディスク１に記録されたデータブロックの配列を示す図である。（ｂ）は、第１の早送り再生における通常再生するデータブロックの配列を示す図である。（ｃ）は、第２の早送り再生における光ディスク１に記録されたデータブロックの配列を示す図である。（ｄ）は、第２の早送り再生における通常再生するデータブロックの配列を示す図である。
【図３】早送り再生処理を示すフローチャートである。
【図４】（ａ）は、操作パネル１５Ａを示す図である。（ｂ）は、操作パネル１５Ｂを示す図である。
【図５】（ａ）は、従来の早送り再生における記録媒体に記録されたデータブロックの配列を示す図である。（ｂ）は、従来の早送り再生における通常再生するデータブロックの配列を示す図である。
【符号の説明】
【００６９】
１００  再生装置
１  光ディスク
２  スピンドルモータ
３  光ピックアップ
４  送りモータ
５  記録ヘッド
６  ヘッドドライバ
７  ＲＦアンプ
８  デジタル信号処理回路
９  ＤＡＣ
１０  アンプ
１１  スピーカ
１２  マイク
１３  ＡＤＣ
１４  システムコントローラ
１５  操作部
１５Ａ，１５Ｂ  操作パネル
１５１  停止キー
１５２  再生キー
１５３，１５３１，１５３２，１５３３，１５３４  早戻しキー
１５４，１５４１，１５４２，１５４３，１５４４  早送りキー
１６  表示部
１７  計時部
１８  メモリ
【図１】
2006331473.tif 000003
【図２】
2006331473.tif 000004
【図３】
2006331473.tif 000005
【図４】
2006331473.tif 000006
【図５】
2006331473.tif 000007